(57)【要約】      （修正有）【課題】ネクタイを短時間で着脱することができるネクタイ装着具を提供する。【解決手段】連結部３とネクタイ結び付け部４とからなるネクタイ留めユニット１と、着衣の首部に巻かれることができる紐状体２１と、紐状体２１の両端にそれぞれ設けられた第１の接続部材２２と第２の接続部材２３とを有する首回りベルト２と、を備えていて、連結部３は、板状に形成されていると共に、一つの側面３１１にネクタイ結び付け部４が一体的に固定されている本体３１と、該本体３１の両端にそれぞれ設けられた第１の連結枠３２と第２の連結枠３３を有し、首回りベルト２は更に、連結部３の第１の連結枠３２と第２の連結枠３３それぞれに連結可能に対応する第１の連結手段２４と第２の連結手段２５を有し、これらを通じて連結部３と連結できることを特徴とするネクタイ装着具１００である。【選択図】図２
0003178590.tif 000002
【実用新案登録請求の範囲】
【請求項１】
ネクタイを短時間で着脱するためのネクタイ装着具であって、
連結部とネクタイ結び付け部とからなっているネクタイ留めユニットと、
着衣の首部に巻かれることができる紐状体と、該紐状体の両端にそれぞれ設けられた第１の接続部材と第２の接続部材とを有する首回りベルトと、を備えていて、
前記連結部は、板状に形成されていると共に、一つの側面に前記ネクタイ結び付け部が一体的に固定されている本体と、該本体の両端にそれぞれ設けられた第１の連結枠と第２の連結枠とを有し、
前記首回りベルトは更に、前記連結部の前記第１の連結枠及び前記第２の連結枠のそれぞれに連結可能に対応する第１の連結手段と第２の連結手段を有し、これらを通じて前記連結部と連結できることを特徴とするネクタイ装着具。
【請求項２】
前記第１の接続部材は、前記紐状体の一つの端部近くの背面に設けられている上、外面に面ファスナーにおけるフック部及びループ部のうちのいずれか一方が形成されており、
前記第２の接続部材は、前記紐状体の前記端部に反対するもう一つの端部近くの正面に設けられている上、外面に面ファスナーにおけるフック部及びループ部のうちの他方が形成されており、
この構成により、前記紐状体は、前記面ファスナーにおけるフック部及びループ部のうちのいずれか一方と他方との接着により、着衣の首部に巻かれたまま保持されることができることを特徴とする請求項１に記載のネクタイ装着具。
【請求項３】
前記第１の連結手段は、前記紐状体の前記正面に設けられている上、外面に面ファスナーにおけるフック部及びループ部のうちのいずれか一方が形成されている第１の結合部と、前記第１の結合部の一端縁から突出している第１の連結シートとからなり、該第１の連結シートは、前記第１の連結枠を挿通してから曲げられて前記第１の結合部と対面して重なることができる上、前記第１の結合部と対面して重なることができる面に面ファスナーにおけるフック部及びループ部のうちの他方が形成されており、前記第１の結合部と対面して重なった際、前記面ファスナーにおけるフック部及びループ部のうちのいずれか一方と接着することができ、
前記第２の連結手段は、前記第１の結合部の前記一端縁から前記第１の結合部と間隔を置いて、前記紐状体の前記正面に設けられている上、外面に面ファスナーにおけるフック部及びループ部のうちのいずれか一方が形成されている第２の結合部と、前記第２の結合部の前記第１の結合部における前記一端縁に近い端縁から突出している第２の連結シートとからなっており、該第２の連結シートは、前記第２の連結枠を挿通してから曲げられて前記第２の結合部と対面して重なることができる上、前記第２の結合部と対面して重なることができる面に面ファスナーにおけるフック部及びループ部のうちの他方が形成されており、前記第２の結合部と対面して重なった際、前記面ファスナーにおけるフック部及びループ部のうちのいずれか一方と接着することができ、
この構成により、前記ネクタイ留めユニットは、前記第１の連結手段における第１の結合部と前記第１の連結シートとで前記第１の連結枠を係止し、前記第２の連結手段における第２の結合部と前記第２の連結シートとで前記第２の連結枠を係止することにより、前記首回りベルトに前記紐状体の前記正面と前記ネクタイをつけるための隙間をおいて保持されることができることを特徴とする請求項２に記載のネクタイ装着具。
【請求項４】
前記ネクタイ結び付け部には、自身の曲げ性および、前記ネクタイに対する摩擦保持力を向上させるための複数の切り込みが設けられていることを特徴とする請求項１から請求項３のいずれか１項に記載のネクタイ装着具。
【請求項５】
前記ネクタイ結び付け部は、前記本体の前記一つの側面に一体的に固定されている背面と、前記背面の反対側にあって且つ前記背面と略平行する正面と、前記正面の周縁から前記背面へ延伸する第１の周面と、前記第１の周面から前記背面の周縁まで延伸する第２の周面とを有する上、前記複数の切り込みが、前記正面及び前記第１の周面から前記背面側へ向かって前記第２の周面まで達するように切り込まれて、前記正面から該正面の両側にある前記第１の周面に亘って延伸する細長い開口を有するように形成されたことを特徴とする請求項１から請求項４のいずれか１項に記載のネクタイ装着具。
【請求項６】
前記複数の切り込みは、Ｖ字型の断面を有するように形成されていることを特徴とする請求項４または５に記載のネクタイ装着具。
【請求項７】
前記紐状体は更に、前記端部に連結されているタブを有していることを特徴とする請求項２から請求項６のいずれか１項に記載のネクタイ装着具。
【請求項８】
前記連結部の前記本体は、長方形状に形成され、二つの端部と前記二つの端部に連結している中間部とからなり、前記第１の連結枠と前記第２の連結枠とは、前記二つの端部にそれぞれ形成され、また、前記中間部は前記二つの端部に対して、くびれ状に形成されていることを特徴とする請求項１から請求項７のいずれか１項に記載のネクタイ装着具。
【請求項９】
板状に形成された前記連結部の周縁に、該周縁の内側部分より肉厚になっている周縁補強部が形成されていることを特徴とする請求項１から請求項８のいずれか１項に記載のネクタイ装着具。
【考案の詳細な説明】
【技術分野】
【０００１】
本考案は、ネクタイ装着具に関し、特にネクタイを短時間で着脱することができるネクタイ装着具に関する。
【背景技術】
【０００２】
ネクタイは例えばワイシャツの胸元に付けて装飾品として用いられ、特にビジネス社会においてはネクタイを装着することが慣習化されており、儀礼上欠かせないものとなっている。ネクタイを装着する場合は、ネクタイを首に巻いて結ぶ必要があるため、一定の時間がかかると共に煩雑である。そして、装着後には、人目に付き易いワイシャツの胸元にあるネクタイの結び目が緩んだり、又人体の動作に伴ってずれたりする場合もしばしばあり、これらは装着者の地位や年齢、身分を問わず外見上第三者に見苦しいという印象を与えかねない。また、用が済んだネクタイをワイシャツから取り外すため、結ばれているネクタイを解く必要もあり、やはり時間がかかる。
【０００３】
上記のように、ネクタイの着脱には、不慣れな人はもとより、勤め人等のネクタイを締め慣れている者でも、一定の時間がかかるのは避けられないので、例えば外出前の忙しいときに多くの時間を浪費するという問題がある。
【考案の概要】
【考案が解決しようとする課題】
【０００４】
そこで、本考案は、ネクタイを装着したり取り外したりする度に、ネクタイを結んだり、結び目を解いたりする手間を必要とせず、素早く着脱することができるネクタイ装着具を提供することを目的とする。
【課題を解決するための手段】
【０００５】
本考案は、ネクタイを短時間で着脱するためのネクタイ装着具であって、
連結部とネクタイ結び付け部とからなるネクタイ留めユニットと、
着衣の首部に巻かれることができる紐状体と、該紐状体の両端にそれぞれ設けられた第１の接続部材と第２の接続部材とを有する首回りベルトと、を備えていて、
前記連結部は、板状に形成されていると共に、一つの側面に前記ネクタイ結び付け部が一体的に固定されている本体と、該本体の両端にそれぞれ設けられた第１の連結枠と第２の連結枠とを有し、
前記首回りベルトは更に、前記連結部の前記第１の連結枠及び前記第２の連結枠のそれぞれに連結可能に対応する第１の連結手段と第２の連結手段とを有し、これらを通じて前記連結部と連結できることを特徴とするネクタイ装着具を提供する。
【０００６】
前記第１の接続部材は、前記紐状体の一つの端部近くの背面に設けられている上、外面に面ファスナーにおけるフック部及びループ部のうちのいずれか一方が形成されており、前記第２の接続部材は、前記紐状体の前記端部に反対するもう一つの端部近くの正面に設けられている上、外面に面ファスナーにおけるフック部及びループ部のうちの他方が形成されていることが好ましい。こういう構成で、前記紐状体は、前記面ファスナーにおけるフック部及びループ部のうちのいずれか一方と他方との接着により、着衣の首部に巻かれたまま保持されることができる。
【０００７】
前記第１の連結手段は、前記紐状体の前記正面に設けられている上、外面に面ファスナーにおけるフック部及びループ部のうちのいずれか一方が形成されている第１の結合部と、前記第１の結合部の一端縁から突出している第１の連結シートとからなり、該第１の連結シートは、前記第１の連結枠を挿通してから曲げられて前記第１の結合部と対面して重なることができる上、前記第１の結合部と対面して重なることができる面に面ファスナーにおけるフック部及びループ部のうちの他方が形成されており、前記第１の結合部と対面して重なった際、前記面ファスナーにおけるフック部及びループ部のうちのいずれか一方と接着することができ、
【０００８】
前記第２の連結手段は、前記第１の結合部の前記一端縁から前記第１の結合部と間隔を置いて、前記紐状体の前記正面に設けられている上、外面に面ファスナーにおけるフック部及びループ部のうちのいずれか一方が形成されている第２の結合部と、前記第２の結合部の前記第１の結合部における前記一端縁に近い端縁から突出している第２の連結シートとからなっていて、該第２の連結シートは、前記第２の連結枠を挿通してから曲げられて前記第２の結合部と対面して重なることができる上、前記第２の結合部と対面して重なることができる面に面ファスナーにおけるフック部及びループ部のうちの他方が形成されており、前記第２の結合部と対面して重なった際、前記面ファスナーにおけるフック部及びループ部のうちのいずれか一方と接着することができることが好ましい。こいう構成で、前記ネクタイ留めユニットは、前記第１の連結手段における第１の結合部と前記第１の連結シートとで前記第１の連結枠を係止し、前記第２の連結手段における第２の結合部と前記第２の連結シートとで前記第２の連結枠を係止することにより、前記首回りベルトに前記紐状体の正面とネクタイをつけるための隙間をおいて保持されることができる。
【０００９】
前記ネクタイ結び付け部には、自身の曲げ性および、前記ネクタイに対する摩擦保持力を向上させるための複数の切り込みが設けられていることが好ましい。
【００１０】
前記ネクタイ結び付け部は、前記本体の前記一つの側面に一体的に固定されている背面と、前記背面の反対側にあって且つ前記背面と略平行する正面と、前記正面の周縁から前記背面へ延伸する第１の周面と、前記第１の周面から前記背面の周縁まで延伸する第２の周面とを有する上、前記複数の切り込みが、前記正面及び前記第１の周面から前記背面側へ向かって前記第２の周面まで達するように切り込まれて、前記正面から該正面の両側にある前記第１の周面に亘って延伸する細長い開口を有するように形成されたことが好ましい。
【００１１】
前記複数の切り込みが、Ｖ字型の断面を有するように形成されていることが好ましい。
【００１２】
前記紐状体は更に、前記端部に連結されているタブを有していることが好ましい。
【００１３】
前記連結部の前記本体は、長方形状に形成され、二つの端部と前記二つの端部に連結している中間部とからなり、前記第１の連結枠と前記第２の連結枠は、前記二つの端部にそれぞれ形成され、また、前記中間部は前記二つの端部に対して、くびれ状に形成されていることが好ましい。
【００１４】
板状に形成された前記連結部の周縁に、該周縁の内側部分より肉厚になっている周縁補強部が形成されていることが好ましい。
【考案の効果】
【００１５】
上記構造により、ネクタイの着脱が簡単になり、着脱時間を短縮できるネクタイ装着具を提供することができる。
【図面の簡単な説明】
【００１６】
【図１】本考案におけるネクタイ装着具にネクタイが装着されている状態が示される斜視図である。
【図２】本考案におけるネクタイ装着具の分解図である。
【図３】本考案におけるネクタイ装着具のネクタイ留めユニットが首回りベルトに装着されている状態の上面図である。
【図４】本考案におけるネクタイ装着具の首部に巻かれた状態を示す上面図である。
【考案を実施するための最良の形態】
【００１７】
以下に、図面１〜４をもって、本考案のネクタイ装着具１００の詳細について説明する。
【００１８】
本考案のネクタイ装着具１００は、ネクタイ２００を短時間で着脱するためのものであって、連結部３とネクタイ結び付け部４とからなっているネクタイ留めユニット１と、首回りベルト２と、を備えていている。
【００１９】
連結部３は、板状に形成されており、一つの側面３１１にネクタイ結び付け部４が一体的に固定されている本体３１と、該本体３１の両端にそれぞれ設けられた第１の連結枠３２と第２の連結枠３３とを有している。連結部３の本体３１は、長方形状に形成され、二つの端部３１２、３１２と該二つの端部３１２、３１２に連結している中間部３１３からなり、第１の連結枠３２と第２の連結枠３３は、二つの端部３１２、３１２にそれぞれ形成され、また、中間部３１３は二つの端部３１２、３１２に対して、くびれ状に形成されている。また、板状に形成された連結部３の周縁には、該周縁の内側部分より肉厚になっている周縁補強部３４が形成されている。周縁補強部３４の存在によって、使用者は手が滑らずにネクタイ留めユニット１をつかむことができ、首回りベルト２との連結操作をスムーズに行なうことができる。
【００２０】
ネクタイ結び付け部４は、本体３１の一つの側面３１１に一体的に固定されている背面４３と、背面４３の反対側にあって且つ背面４３と略平行する正面４１と、正面４１の周縁から背面４３へ延伸する第１の周面４２と、第１の周面４２から背面４３の周縁まで延伸する第２の周面４４とを有する上、ネクタイ結び付け部４自身の曲げ性および、ネクタイ２００に対する摩擦保持力を向上させるための複数の切り込み４５が設けられている。複数の切り込み４５は、正面４１及び第１の周面４２から背面４３側へ向かって第２の周面４４まで達するように切り込まれたものであり、正面４１から該正面４１の両側にある第１の周面４２に亘って延伸する、Ｖ字型の断面を有する細長い開口を有するように形成されている。
【００２１】
首回りベルト２は、着衣の首部に巻かれることができる紐状体２１と、該紐状体２１の両端にそれぞれ設けられた第１の接続部材２２と第２の接続部材２３とを有している。
【００２２】
この実施形態において、第１の接続部材２２は、紐状体２１の一つの端部２１３近くの背面２１２に設けられている上、外面に面ファスナーのフック部が形成されている。そして第２の接続部材２３は紐状体２１の端部２１３に反対するもう一つの端部２１４近くの正面２１１に設けられている上、外面に面ファスナーのループ部が形成されている。面ファスナーのフック部を有する第１の接続部材２２と、面ファスナーのループ部を有する第２の接続部材２３とを互いに向かい合うように接着させることで、首回りベルト２を環状に保持することができる。また、紐状体２１は、端部２１３に連結され、第１の接続部材２２と第２の接続部材２３との接着を解除する際に用いられるタブ２１５を有している。
【００２３】
更に、首回りベルト２は、連結部３の第１の連結枠３２と第２の連結枠３３それぞれに連結可能に対応する第１の連結手段２４と第２の連結手段２５を有し、これらを通じて連結部３を首回りベルト２に取り付けることができる。
【００２４】
第１の連結手段２４は、紐状体２１の正面２１１に設けられている上、外面に面ファスナーのループ部が形成されている第１の結合部２４３と、第１の結合部２４３の一端縁から突出している第１の連結シート２４２とからなっている。第１の連結シート２４２は第１の連結枠３２を挿通してから曲げられて第１の結合部２４３と対面して重なることができる上、第１の結合部２４３と対面して重なることができる面に面ファスナーのフック部が形成されており、第１の結合部２４３と対面して重なった際、面ファスナーのループ部と接着することができる。
【００２５】
第２の連結手段２５は、第１の結合部２４３の一端縁から第１の結合部２４３と間隔を置いて、紐状体２１の正面２１１に設けられている上、その外面に面ファスナーのループ部が形成されている第２の結合部２５３と、前記第２の結合部２５３の第１の結合部２４３における一端縁に近い端縁から突出している第２の連結シート２５２とからなっている。第２の連結シート２５２は第２の連結枠３３を挿通してから曲げられて第２の結合部２５３と対面して重なることができる上、その第２の結合部２５３と対面して重なることができる面に面ファスナーのフック部が形成されており、第２の結合部２５３と対面して重なった際、面ファスナーのループ部と接着することができる。前記構成により、ネクタイ留めユニット１は、第１の連結手段２４における第１の結合部２４３と第１の連結シート２４２とで第１の連結枠３２を係止し、第２の連結手段２５における第２の結合部２５３と第２の連結シート２５２とで第２の連結枠３３を係止することにより、首回りベルト２に保持されることができる。
【００２６】
また、本考案のネクタイ装着具１００では、第１の結合部２４３及び第２の結合部２５３はそれぞれ厚みがあるので、連結部３が首回りベルト２に取り付けられた際、首回りベルト２の紐状体２１とネクタイ留めユニット１の連結部３との間に、ネクタイ２００を通過させるための隙間５０がおのずと形成されるが、該隙間５０は、第１の連結シート２４２が第１の結合部２４３に貼りあわされる位置と、第２の連結シート２５２が第２の結合部２５３に貼りあわされる位置とを移すことでその寸法を調整することもできる。隙間５０の調整により、ネクタイ２００を使用者の首を圧迫しないようにさせる効果が得られる。次に、本考案のネクタイ装着具１００の使用方法について説明する。
【００２７】
まず、用途に応じて好適なネクタイ２００を用意し、ネクタイ留めユニット１にネクタイ２００を結び付ける。この際、ネクタイ２００の結び目をネクタイ結び付け部４と対応する位置に設けると、ネクタイ結び付け部４に設けられた複数の切り込み４５によって、ネクタイ結び付け部４のネクタイ２００に対する摩擦保持力が向上されるので、ネクタイ２００の結び目の緩みや、人体の動作に伴う位置ズレなどを防止することができる。
【００２８】
続いて、ネクタイ留めユニット１を、紐状体２１の正面２１１に設けられた第１の連結手段２４と第２の連結手段２５、および連結部３に設けられた第１の連結枠３２と第２の連結枠３３によって、首回りベルト２と連結する。詳細に言うと、第１の連結手段２４における、第１の結合部２４３の一端縁から突出している第１の連結シート２４２が、連結部３の第１の連結枠３２を挿通してから、曲げられて第１の連結シート２４２に形成されている面ファスナーのフック部によって、第１の結合部２４３の外面に形成されている面ファスナーのループ部に貼りあわされ、また、第２の連結手段２５における、第２の結合部２５３の一端縁から突出している第２の連結シート２５２が、連結部３の第２の連結枠３３を挿通してから、曲げられて第２の連結シート２５２に形成されている面ファスナーのフック部によって、第２の結合部２５３の外面に形成されている面ファスナーのループ部に貼りあわされることによって、ネクタイ留めユニット１と首回りベルト２とを連結する。
【００２９】
さらに、首回りベルト２を着衣の襟元に巻いて、紐状体２１の一つの端部２１３近くの背面２１２に設けられた第１の接続部材２２と、紐状体２１のもう一つの端部２１４近くの正面２１１に設けられた第２の接続部材２３とを押し合わせることによって、第１の接続部材２２における面ファスナーのフック部と第２の接続部材２３における面ファスナーのループ部とが接着して首回りベルト２が環状となって首に装着される。なお、首回りベルト２を取り外す際には、紐状体２１の端部２１３に連結されているタブ２１５を指でつかんで第１の接続部材２２を第２の接続部材２３から引き剥がすだけで、容易かつ確実に首回りベルト２を取り外すことができる。
【００３０】
上記のように、本考案はネクタイ２００を予め結び付けることができ、且つ簡単に首回りベルト２に取り付けることができるネクタイ留めユニット１を利用するので、たとえネクタイを結ぶことに不慣れな人でも、ネクタイの着衣への着脱時間を従来より大幅に短縮することができる。更に、予め複数のネクタイ２００を複数のネクタイ留めユニット１に結び付けておくと、用途に応じて、複数のネクタイ２００が結び付けられた複数のネクタイ留めユニット１から好適なものを選択して首回りベルト２に装着することもできる。
【００３１】
また、ネクタイ装着具１００のもう一つの使用方法としては、まず、首回りベルト２とネクタイ留めユニット１とを連結して、それから、首回りベルト２の紐状体２１とネクタイ留めユニット１の連結部３の間に形成される隙間５０を通じて、ネクタイ２００をネクタイ留めユニット１に結び付けることが挙げられる。
【００３２】
尚、本考案は前記実施形態に限定されるものではなく、本考案の要旨を逸脱しない範囲内で種々の改良、変形が可能であることは勿論である。
【００３３】
例えば、複数の切り込み４５が上記のように、正面４１及び第１の周面４２から背面４３側に向かって第２の周面４４まで達するように切り込まれて、正面４１から該正面４１の両側にある第１の周面４２に亘って延伸する、Ｖ字型の断面を有する細長い開口を有するように形成されているが、これに制限されるものではなく、必要に応じて、切り込み４５の延伸方向及び断面形状を変更することも可能である。
【産業上の利用可能性】
【００３４】
本考案によれば、ネクタイの着脱が簡単になり、たとえネクタイを結ぶことに不慣れな人でも、ネクタイの着衣への着脱時間を従来より大幅に短縮することができるネクタイ装着具を提供することができる。
【符号の説明】
【００３５】
１００  ネクタイ装着具
２００  ネクタイ
１      ネクタイ留めユニット
２      首回りベルト
２１    紐状体
２１１  正面
２１２  背面
２１３  端部
２１４  端部
２１５  タブ
２２    第１の接続部材
２３    第２の接続部材
２４    第１の連結手段
２４２  第１の連結シート
２４３  第１の結合部
２５    第２の連結手段
２５２  第２の連結シート
２５３  第２の結合部
３      連結部
３１    本体
３１１  側面
３１２  端部
３１３  中間部
３２    第１の連結枠
３３    第２の連結枠
３４    周縁補強部
４      ネクタイ結び付け部
４１    正面
４２    第１の周面
４３    背面
４４    第２の周面
４５    切り込み
５０    隙間
【図１】
0003178590.tif 000003
【図２】
0003178590.tif 000004
【図３】
0003178590.tif 000005
【図４】
0003178590.tif 000006